(57)【要約】【課題】設置態様に合わせて排気方向を変更できるとともに、投射画像の向きを簡便に設置態様に合わせることができるプロジェクタを提供すること。【解決手段】排気部４０は、変更手段としてのジョイント部を軸として矢印ｇ方向に回転するとともに、プロジェクタ１００の上面Ｓｕに対応する面に排気口４１を備えている。排気部４０を回転させることによって、排気口４１をプロジェクタ１００の上面Ｓｕ側または下面Ｓｄ側に配することが可能なことから、正置および天吊りのいずれの設置態様であっても、天井側の面に開口部４１を配することができる。プロジェクタ１００は、さらに、排気部４０の旋回に伴い設置モードを示す切替信号を出力するスイッチ手段と、切替信号レベルの変化をトリガとして画像を反転させる画像切替手段とを備えている。【選択図】図１
2007264247.tif 000002
【特許請求の範囲】
【請求項１】
光源と、前記光源から射出された光束を変調して光学像を形成する光変調素子と、形成
された光学像を投射する投射部と、これら前記光源、前記光変調素子および前記投射部を
内部に収納する外装筐体とを備えたプロジェクタであって、
前記外装筐体内部の熱気を排気するための排気口を有する排気部と、
前記外装筐体の下面を地面側に向けて設置する正置と、前記外装筐体上面を地面側に向
けて設置する天吊りとを含む、複数の設置態様に応じて、前記排気口の向きを天井側に向
けるための変更手段と、
前記変更手段と連動し、前記設置態様を示す切替信号を出力するスイッチ手段と、
前記画像の向きを変更する画像切替手段と、を備え、
前記画像切替手段は、前記スイッチ手段からの切替信号に応じて、前記画像の向きを変
更することを特徴とするプロジェクタ。
【請求項２】
前記変更手段は、前記外装筐体に設けられた排気用の開口部と、前記排気部とを接合す
るための、円形の前記開口部を軸受けとして旋回可能に接合する前記排気部と一体化され
たジョイント部であり、
前記排気部は、前記上面および下面に対応する面を含む略六面体をなし、管状の前記ジ
ョイント部を軸として回転するとともに、前記上面、または下面に対応する面のいずれか
一方に前記排気口を備えることを特徴とする請求項１に記載のプロジェクタ。
【請求項３】
前記排気部には、前記ジョイント部から熱気を導き、前記排気口に送風する排気ファン
が内蔵され、前記排気ファンは、前記排気口に面して配されることを特徴とする請求項２
に記載のプロジェクタ。
【請求項４】
前記外装筐体は、前記上面、下面、を含む略６面体をなし、
前記排気部は、前記外装筐体の前記投射部が配置された面において前記投射部と異なる
側の端部に設けられ、前記排気口が前記上面側、または前記下面側に配された状態におい
て、前記外装筐体の各面から構成される６面体内に略収まることを特徴とする請求項２ま
たは３に記載のプロジェクタ。
【請求項５】
前記外装筐体の前記開口部近傍および前記排気部には、前記排気口が前記上面側、また
は下面側に配された状態において、クリック感を伴って止まるためのクリック機構が設け
られるとともに、
前記排気部、および前記外装筐体の外装面には、少なくとも前記正置、および天吊りを
含む設置態様における前記排気部の設定状態を示す表示がなされていることを特徴とする
請求項２〜４のいずれか一項に記載のプロジェクタ。
【発明の詳細な説明】
【技術分野】
【０００１】
本発明は、画像を拡大投射するプロジェクタに係り、特にプロジェクタを冷却する技術
に関する。
【背景技術】
【０００２】
高圧水銀ランプや、メタルハライドランプなどの放電ランプを光源とし、光源が発する
光を光変調素子により画像信号に応じて変調し、変調された画像を表す変調光を拡大投射
するプロジェクタが知られている。このようなプロジェクタの内部には、複数の発熱部位
がある。具体的には、光源である放電ランプ、当該放電式ランプを点灯させ、さらに点灯
状態を維持するランプ駆動部、透過式液晶ライトバルブなどの光変調素子、プロジェクタ
各部に電力を供給する電源部などである。
プロジェクタは、これらの発熱部位を空冷する複数の冷却ファンと、発熱部位の熱を奪
った空気（以下、「熱気」という）を排気するための排気ファンを含む排気部とを、備え
ていた。排気部は、プロジェクタ本体の後方面などに備えられており、排気方向は、一定
方向に固定されていた。
【０００３】
また、プロジェクタは、「正置」、または「天吊り」のいずれかの態様で設置されるこ
とが一般的であった。「正置」とは、プロジェクタを机上などの地面側に設置することを
指し、この場合、プロジェクタは、机上から壁面に設置されたスクリーンを見上げる形で
画像を投射する。正置においては、プロジェクタの下面が地面側に面していた。また、プ
ロジェクタの投射光学系は、正置状態から仰角にあるスクリーンに略矩形の画像を投射す
るために「あおり光学系」となっていた。なお、プロジェクタは、扁平な略長方体をなし
、上面には操作ボタンなどを含む操作パネルが設けられ、下面には設置するための脚など
が設けられているものとして説明する。
「天吊り」とは、プロジェクタを専用の設置器具などにより天井に設置する設置態様で
ある。この場合、プロジェクタは、上面を地面側に向けて壁面のスクリーンを見下げる形
で設置される。これは、プロジェクタの投射光学系があおり光学系となっていることや、
操作パネルが上面に設けられていることなどに起因している。
【０００４】
図７は、従来のプロジェクタの天吊りにおける側断面図である。図８は、従来の異なる
態様のプロジェクタの概要図である。
天吊りの場合、プロジェクタ本体が反転するため、プロジェクタ内部における空気の温
度分布や、排気部の排気方向も反転する。このため、設置態様の変化に応じて、冷却態様
を調整する技術が提案されている。例えば、図７に示す特許文献１のプロジェクタ２００
は、設置態様に応じて、排気部２０５の排気ダクト２０１をプロジェクタ内部の熱気側に
動かす機構２０２，２０３を備えている。
また、図８に示す特許文献２のプロジェクタ２１０は、可動式の排気ダクトとして、外
付けの蛇腹状の排気ダクト２１１を備えていた。
また、プロジェクタを天吊りして使用する場合には、スクリーンに投射される画像の向
きを反転する必要がある。これは、天吊りによるプロジェクタ本体の反転にともない、投
射画像も反転してしまうからである。投射画像の反転は、ソフトウエアにより行われ、投
射画像に表示される設置モード設定画面において、メニュー中から天吊りを選択すること
により行われていた。
【０００５】
【特許文献１】特開２００４−１８５９７７号公報
【特許文献２】特開平９−３１９００７号公報
【発明の開示】
【発明が解決しようとする課題】
【０００６】
しかしながら、プロジェクタ２００では、天吊りによるプロジェクタ内部の温度変化に
は対応しているものの、排気方向については考慮されていなかった。
特許文献１には詳しい説明はないものの、文章および図面から推察すると、プロジェク
タ２００における排気方向は、正置および天吊り状態において、共に同一方向である側面
下方を向いている。この構成は、熱気が上昇するという自然の摂理に沿うものとはいい難
かった。このため、排気ダクト２０１の調整によってプロジェクタ内部の熱気を導いたと
しても、排気効率が良いとはいえないため、熱気が篭ってしまい所期の冷却効果を得難か
った。
また、特許文献２のプロジェクタ２１０では、無骨な排気ダクト２１１が外観に突出し
ており、商品として精錬されているとはいい難かった。また、排気ダクト２１１が外部に
大きく突出しているため、持ち運びや、設置する際に、当該排気ダクトに接触し易く、故
障の要因となっていた。
【０００７】
図９は、従来のプロジェクタを天吊りしたときの設置モード設定画面を示す図である。
さらに、プロジェクタ２００，２１０共に、天吊りした場合は、前述した通り、設置モ
ード設定画面により天吊りを選択する必要がある。しかし、プロジェクタを天吊りすると
、図９に示すように設定画面２１５が反転してしまうため、反転表示されている設定画面
２１５において、操作メニューを読んだり、所望の項目を選択しなければならなかった。
この作業は、文字の反転による読み辛さばかりでなく、リモコンなどによるカーソルの左
右移動操作も反転してしまうため、大変煩わしいものであった。
このように、従来のプロジェクタ２００，２１０は、投射画像の向きを設置態様に合わ
せるための切替え操作が煩わしいという問題があった。さらにプロジェクタ２００は、設
置態様に合わせて排気方向を最適化することが困難であるという問題点があった。また、
プロジェクタ２１０は、外観が無骨であり、デザイン完成度が低いという問題点があった
。
【０００８】
上記課題を解決するために、本発明では、設置態様に合わせて排気方向を変更できると
ともに、投射画像の向きを簡便に設置態様に合わせることができるプロジェクタを提供す
ることを目的の一つとする。
【課題を解決するための手段】
【０００９】
上述した目的を達成するために、本発明のプロジェクタは、光源と、光源から射出され
た光束を変調して光学像を形成する光変調素子と、形成された光学像を投射する投射部と
、これら光源、光変調素子および投射部を内部に収納する外装筐体とを備えたプロジェク
タであって、外装筐体内部の熱気を排気するための排気口を有する排気部と、下面を地面
側に向けて設置する正置と、上面を地面側に向けて設置する天吊りとを含む、複数の設置
態様に応じて、排気口の向きを天井側に向けるための変更手段と、変更手段と連動し、設
置態様を示す切替信号を出力するスイッチ手段と、画像の向きを変更する画像切替手段と
、を備え、画像切替手段は、スイッチ手段からの切替信号に応じて、画像の向きを変更す
ることを特徴とする。
【００１０】
この構成によれば、プロジェクタは、複数の設置態様に応じて、排気口の向きを天井側
に向ける変更手段と、変更手段と連動し、設置態様を示す切替信号を出力するスイッチ手
段とを有することから、どの設置態様が選択されても、変更手段により排気口の向きを天
井側に向けることができ、また、スイッチ手段は、選択されている設置態様を示す切替信
号を出力する。
よって、設置態様に拘らず排気方向が一定であった従来のプロジェクタと異なり、本発
明のプロジェクタは、どの設置態様が選択されても、変更手段により、排気口の向きを天
井側に向けることができる。
これにより、自然対流により上昇して行く熱気を天井側を向いた排気口から効率良く排
気することができる。
【００１１】
さらに、画像切替手段は、スイッチ手段からの切替信号に応じて画像の向きを変更する
。よって、投射画像の向きを設置態様に合わせるための切替え操作が煩わしかった従来の
プロジェクタと異なり、本発明のプロジェクタは、変更手段と連動したスイッチ手段の切
替信号により、画像切替手段が自動的に投射画像の向きを変更する。
従って、投射画像の向きを簡便に設置態様に合わせることができる。
従って、設置態様に合わせて排気方向を変更できるとともに、投射画像の向きを簡便に
設置態様に合わせることができるプロジェクタを提供することができる。
【００１２】
本発明のプロジェクタによれば、変更手段は、外装筐体に設けられた排気用の開口部と
、排気部とを接合するための、円形の開口部を軸受けとして旋回可能に接合する排気部と
一体化されたジョイント部であり、排気部は、上面および下面に対応する面を含む略六面
体をなし、管状のジョイント部を軸として回転するとともに、上面、または下面に対応す
る面のいずれか一方に排気口を備えることが好ましい。
【００１３】
上面および下面は、相対する面である。また、正置においては下面が地面側に面し、天
吊りにおいては上面が地面側に面することから、正置におけるプロジェクタの天井側の面
は上面となり、天吊りにおけるプロジェクタの天井側の面は下面となる。
この構成によれば、排気部は、管状のジョイント部を軸として回転するとともに、上面
または、上記下面に対応する面のいずれか一方に排気口を備えている。よって、排気部の
回転によって、排気口をプロジェクタの上面側または下面側に配することが可能なことか
ら、正置および天吊りのいずれの設置態様であっても、天井側の面に開口部を配すること
ができる。
従って、設置態様に合わせて排気方向を変更できるプロジェクタを提供することができ
る。
【００１４】
本発明のプロジェクタによれば、排気部には、ジョイント部から熱気を導き排気口に送
風する排気ファンが内蔵され、排気ファンは、排気口に面して配されることが好ましい。
【００１５】
この構成によれば、排気ファンは、排気口に面して配されることから、自然対流によっ
て天井側に面した排気口側に上昇してくる熱気を、排気ファンにより効率良く排気するこ
とができる。
よって、冷却効率が良いことから、プロジェクタの動作が安定する。
従って、動作の安定したプロジェクタを提供することができる。
【００１６】
本発明のプロジェクタによれば、外装筐体は、上面、下面、を含む略６面体をなし、排
気部は、外装筐体の投射部が配置された面において投射部と異なる側の端部に設けられ、
排気口が上面側、または下面側に配された状態において、外装筐体の各面から構成される
６面体内に略収まることが好ましい。
【００１７】
この構成によれば、排気部は、排気口が上面側、または下面側に配された状態において
、外装筐体の各面から構成される６面体内に略収まる。
よって、排気ダクトがプロジェクタ外部に大きく突出していた従来のプロジェクタと異
なり、本発明のプロジェクタでは、まとまり感を高めた精錬されたデザインを実現するこ
とができる。
また、正置、および天吊り設置態様において、排気部はプロジェクタの外観を構成する
６面体内に略収まるため、持ち運びや、設置する際に、排気部が邪魔にならない。
従って、精錬された完成度の高いデザインのプロジェクタを提供することができる。
【００１８】
本発明のプロジェクタによれば、外装筐体の開口部近傍および排気部には、排気口が上
面側、または下面側に配された状態において、クリック感を伴って止まるためのクリック
機構が設けられるとともに、排気部、および外装筐体の外装面には、少なくとも正置、お
よび天吊りを含む設置態様における排気部の設定状態を示す表示がなされていることが好
ましい。
【００１９】
この構成によれば、外装筐体の開口部近傍および排気部には、排気口が上面側、または
下面側に配された状態において、クリック感を伴って止まるためのクリック機構が設けら
れることから、排気部を回して正置、または天吊り態様に設定するときに、容易に位置合
わせすることができる。
さらに、排気部、および外装筐体の外装面には、少なくとも正置、および天吊りを含む
設定状態を示す表示がなされている。よって、初心者であっても、設定状態を示す表示に
より、排気部を容易に正置、または天吊り態様の設置位置に合わせることができる。
従って、設置態様に合わせて排気方向を簡便に変更できるプロジェクタを提供すること
ができる。
【発明を実施するための最良の形態】
【００２０】
以下、本発明の実施形態を図面に基づいて説明する。
【００２１】
（実施形態）
《プロジェクタの概要》
図１（ａ）は、本発明の実施形態におけるプロジェクタの斜視図である。図１（ｂ）は
、天吊りにおける排気部周辺の斜視図である。ここでは、図１（ａ），（ｂ）を用いてプ
ロジェクタ１００の概要について説明する。
プロジェクタ１００は、高圧水銀ランプや、メタルハライドランプなどの放電ランプを
光源とし、光源が発する光を、光変調素子により画像信号に応じて変調し、変調された画
像を表す変調光を投射部５０から拡大投射する光学機器である。
【００２２】
図１（ａ）は、プロジェクタ１００を正置した状態を示している。
プロジェクタ１００は、前面Ｓｆ、上面Ｓｕ、下面Ｓｄ、後面Ｓｂ、側面Ｓｒ，Ｓｌか
らなる扁平な略長方体の外装筐体（以降、「外装ケース」という）を有している。プロジ
ェクタ１００の設置態様は、下面Ｓｄを地面側に向ける正置と、上面Ｓｕを地面側に向け
る天吊りとの二通りである。
前面Ｓｆには、投射部５０と、当該投射部と異なる側の端部に排気部４０とが設けられ
ている。
上面Ｓｕは、プロジェクタ１００の正置における天井側の面である。上面Ｓｕには、電
源ボタンなどの複数の操作ボタンを備えた操作部５６が設けられている。
下面Ｓｄは、上面Ｓｕと相対する面であり、正置において地面側の面となる。下面Ｓｄ
には、正置したときの脚となる複数の脚部や、天吊りする際に、天吊り器具と接続するた
めの接続部（いずれも図示せず）などが設けられている。
【００２３】
排気部４０は、前面Ｓｆ、上面Ｓｕ、下面Ｓｄ、および側面Ｓｒに対応する面を含み、
略長方体をなしている。排気部４０の上面Ｓｕに対応する面には、熱気を排出するための
格子状の排出口４１が設けられている。また、この状態で、排気部４０は、前面Ｓｆ、上
面Ｓｕ、下面Ｓｄ、および側面Ｓｒを延長した面内に収まっている。なお、排出口４１は
、上面Ｓｕまたは下面Ｓｄに対応する面のいずれか一方に設けられる構成であれば良いが
、下面Ｓｄ側に設けた場合は、以下説明する表示などの配置を反転する必要がある。
プロジェクタ１００における上面Ｓｕの排気部４０近傍には、設置態様の設定状態を確
認するための「設置モード」および「▽」表示が印刷されている。また、排気部４０の上
面Ｓｕに対応する面には、設置態様の設定状態を示す「正置」という文字が印刷されてい
る。「正置」文字の位置は、前記「▽」表示の指し示す位置となっている。
なお、「設置モード」などの表示は、識別可能な表示であれば良く、例えば、成形型に
彫り込まれた彫り込み文字により外装ケース面に表示する方法であっても良い。または、
シールを貼り付ける方法であっても良い。
【００２４】
詳細な説明は後述するが排気部４０は、矢印ｇ方向に旋回可能に設けられている。
図１（ｂ）は、排気部４０を天吊り態様に設定した状態を示している。排気部４０を天
吊り態様に設定するためには、図１（ａ）の状態から排気部４０を１８０°旋回する。
この状態では、排出口４１は下面Ｓｄ側を向いている。また、上面Ｓｕの「▽」表示の
指し示す位置には、排気部４０の「天吊り」という文字が表示されている。
また、この状態においても、排気部４０は、前面Ｓｆ、上面Ｓｕ、下面Ｓｄ、および側
面Ｓｒを延長した面内に収まっている。
排気部４０は、矢印ｇ方向に無制限に回転させることができるが、前記「▽」表示の指
し示す位置に「正置」、または「天吊り」表示が配されると「カチッ」というクリック感
を伴って止まる。これは、後述する「クリック機構」により実現される。
【００２５】
《プロジェクタの概略構成》
図２は、プロジェクタの概略構成図である。ここでは、図２を中心に、適宜図１（ａ）
を交えてプロジェクタ１００の概略構成について説明する。
プロジェクタ１００は、光変調素子としての各色光用の液晶ライトバルブ２３Ｒ，２３
Ｇ，２３Ｂを備えた、いわゆる「液晶３板式プロジェクタ」である。なお、透過式液晶パ
ネルである液晶ライトバルブ２３Ｒ，２３Ｇ，２３Ｂは、それぞれが赤色光、緑色光、青
色光用として設けられ、解像度に応じた複数の画素を備えている。液晶ライトバルブ２３
Ｒ，２３Ｇ，２３Ｂは、光学ユニット３５の構成に含まれている。
【００２６】
プロジェクタ１００は、光源部５、光学ユニット３５、電源部３７、ランプ駆動部３８
、投射部５０、制御部５１、画像信号処理部５２、液晶パネル駆動部５３、記憶部５４、
操作部５６、リモコン５７、操作受付け部５８、冷却ファンＦ１〜Ｆ４、ファン駆動部６
０、排気部４０、スイッチＳＷなどから構成されている。
光源としての光源部５は、高圧水銀ランプや、メタルハライドランプなどの放電ランプ
１と、放電ランプ１が放射した光を集光し光学ユニット側に射出するリフレクタ３などを
含んで構成されている。また、光源部５は、点灯に伴い発熱する放電ランプ１を備えてい
るため、プロジェクタ１００における最大の発熱部位となっている。
【００２７】
光学ユニット３５は、光源部５から射出される光を複数の部分光束に分割し、照明領域
の面内照度を均一化する均一照明光学系と、輝度分布の安定した光を光の３原色である赤
色、緑色、青色の各色光成分に分離する色分離光学系と、色光ごとに画像信号に応じて各
色光を変調する光変調素子と、変調された各色光を合成してフルカラーの変調光を生成す
る色合成光学系を含む光変調部などから構成されている。なお、光学ユニット３５の詳細
については後述するが、光学ユニット３５内の液晶ライトバルブ２３Ｒ，２３Ｇ，２３Ｂ
を含む光変調部３０（図３）は、発熱部位となる。これは、当該部位には、光源部５から
の光が照射されるため、光変調されなかった光が熱となるからである。
【００２８】
電源部３７は、外部電源３５１からの交流電力をインレットから導き、内蔵するＡＣ／
ＤＣ変換部（いずれも図示せず）にて変圧、整流および平滑するなどの処理を施すことに
より安定化させた電力をランプ駆動部３８を含むプロジェクタ１００の各部に供給する。
また、電源部３７は発熱部位であり、これは電力変換効率の関係上、有効な出力電圧に変
換されなかった電力が熱となるからである。
ランプ駆動部３８は、放電ランプ１を点灯させるために高電圧を発生して放電経路を形
成するイグナイタ回路と、点灯後の安定した点灯状態を維持するためのバラスト回路（い
ずれも図示せず）とを含んで構成されている。また、ランプ駆動部３８も、電源部３７と
同様に発熱部位である。
【００２９】
投射部５０は、ズームレンズを含んで構成され、光学ユニット３５から射出されるフル
カラーの変調光を拡大してスクリーンＳＣにフルカラー画像を投射する。
画像切替手段の一構成部位である制御部５１は、ＣＰＵ（Central Processing Unit）
であり、液晶パネル駆動部５３およびファン駆動部６０を含む各部とバスラインＢｕｓを
介して信号のやり取りを行い、プロジェクタ１００を制御する。また、制御部５１の所定
の入力ポートには、バスラインＢｕｓを介してスイッチＳＷの切替信号である電位レベル
が入力されており、切替信号レベルが「Ｈｉ」となると、液晶パネル駆動部５３に、走査
駆動の順序を反転させるための反転信号を送信する。また、所定の入力ポートは、デフォ
ルトでプルダウンされている。
なお、画像切替手段は、制御部５０と、後述する液晶パネル駆動部５３とにより構成さ
れている。
【００３０】
画像信号処理部５２には、パーソナルコンピュータなどの外部の画像信号供給装置３５
０から入力される画像信号をアナログ信号からデジタル信号に変換する画像コンバータや
、スケーラおよびフレームメモリ（いずれも図示せず）などが含まれている。
画像信号処理部５２は、入力されるアナログＲＧＢ信号や、コンポーネント信号などの
アナログ画像信号を画像コンバータによりＡＤ変換した後、スケーリングなどの画像処理
を施す。
画像信号処理部５２は、画像信号により表される画像を当該画像信号の持つ解像度でＲ
ＧＢの色光ごとにフレームメモリに書き込み、液晶ライトバルブ２３Ｒ，２３Ｇ，２３Ｂ
にて表示可能な解像度に変換して読み出すことにより、当該液晶ライトバルブに適した画
像信号を生成する。また、スクリーンＳＣに投射された有効画像の形状を矩形に近づける
ための台形補正処理も、スケーリングと合せて行われる。
【００３１】
画像切替手段の一構成部位である液晶パネル駆動部５３は、液晶パネルドライバであり
、画像処理が施された画像信号とタイミング信号などを液晶ライトバルブ２３Ｒ，２３Ｇ
，２３Ｂに供給し、当該液晶ライトバルブを走査駆動する。初期設定における走査駆動の
順序は、プロジェクタ１００を正置したときのスクリーンにおける投射画像が正方向とな
るような順序に設定されている。液晶パネル駆動部５３は、制御部５１から反転信号を受
信すると、走査駆動の順序を反転させる。
記憶部５４は、例えば、マスクＲＯＭや、フラッシュメモリ、ＦｅＲＡＭなどの不揮発
性のメモリにより構成されている。記憶部５４には、プロジェクタ１００を起動させるた
めの順序と内容を規定した起動プログラムなどの当該プロジェクタの動作を制御するため
の様々なプログラムおよび付随するデータが記憶されている。当該プログラムには、スイ
ッチＳＷの切替信号レベルをトリガとして、液晶パネル駆動部５３に反転信号を送信する
ための画像切替プログラムなどが含まれている。
【００３２】
操作部５６は、プロジェクタ１００の上面Ｓｕに設けられており、プロジェクタ１００
を操作するための複数の操作用ボタン（図示せず）を備えている。複数の操作用ボタンに
は、プロジェクタ１００を起動およびシャットダウンするための「電源ボタン」や、各種
操作メニューを表示させるための「メニューボタン」、操作メニューから所望の操作を選
択するための上下左右に選択可能な「方向キー」、選択した操作を実行するための「決定
ボタン」などが含まれている。
リモコン５７は、プロジェクタ１００を遠隔操作するためのリモコンであり、操作部５
６と同様のプロジェクタ１００を操作するための複数の操作用ボタンを備えている。
操作受付け部５８は、操作部５６あるいはリモコン５７への操作がなされると、当該操
作を受付け、制御部５１に各種動作のトリガとなる操作信号を送る。
【００３３】
前述したようにプロジェクタ１００における主要な発熱部位は、光源部５、光変調部３
０（図３）、電源部３７、ランプ駆動部３８という４部位となる。プロジェクタ１００で
は、このうち電源部３７とランプ駆動部３８とをセットとして１部位とみなし、各部位ご
とに専用の冷却ファンＦ１〜Ｆ４を備えている。
冷却ファンＦ１は、光源部５を冷却するためのシロッコファンである。冷却ファンＦ２
，Ｆ３は、光源ユニット３５の光変調部３０を冷却するためのシロッコファンである。な
お、光変調部３０の冷却ファンは、２つであることに限定するものではない。例えば、１
つのファンによる構成であっても良いし、液晶ライトバルブ２３Ｒ，２３Ｇ，２３Ｂごと
に対応させた３つのファンを備えていても良い。
冷却ファンＦ４は、電源部３７とランプ駆動部３８とをセットとし、前記両部を空冷す
るための軸流ファンである。
【００３４】
ファン駆動部６０は、制御部５１からの制御信号に従い、付属する冷却ファンＦ１〜Ｆ
４、および排気ファンＦ５をそれぞれ回転駆動する駆動回路である。駆動回路は、例えば
、出力バッファオペアンプ付きの５チャンネルＤＡコンバータと、ＤＡコンバータのチャ
ンネルごとに出力される調整電圧に応じた駆動電圧を発生する５つの４端子レギュレータ
（いずれも図示せず）などから構成される。ＤＡコンバータは、制御部５１から入力され
る冷却ファンＦ１〜Ｆ４、排気ファンＦ５ごとの駆動電圧を規定した調整データに応じて
、各チャンネルからそれぞれ対応する調整電圧を各４端子レギュレータに出力する。なお
、駆動回路の構成は、上記構成に限定するものではない。例えば、レギュレータの替わり
にＤＣ／ＤＣコンバータを用いた構成であっても良い。
前述した排気部４０には、排気ファンＦ５が内蔵されている。排気ファンＦ５は、冷却
ファンＦ１〜Ｆ４が送風し、各発熱部位の熱量を奪った空気（以降、「熱気」という）を
外部に排出するための軸流ファンである。なお、冷却ファンＦ１〜Ｆ４、および排気ファ
ンＦ５の具体的な配置などについては後述する。
スイッチ手段としてのスイッチＳＷは、プロジェクタ１００の外装ケースにおける排気
部４０の背面に対応する面に設けられた単接点のプッシュスイッチである。スイッチＳＷ
は、排気部４０の背面に設けられた突起部４３（図４）が当該スイッチの位置に配された
ときにオンする。スイッチＳＷがオンすると、切替信号レベルは「Ｈｉ」となる。
【００３５】
《光学ユニットの概要》
図３は、本発明のプロジェクタにおける光学系および冷却構成を主体とした概略平面図
である。ここでは、図３を用いて、プロジェクタ１００の光学ユニット３５を中心とした
光学系について説明する。
光学ユニット３５は、均一照明光学系１０、色分離光学系１４、リレー光学系１９、光
変調部３０などから構成されている。
均一照明光学系１０は、２枚のフライアイレンズ６、偏光変換素子７と、コンデンサレ
ンズ８、反射ミラー９などから構成されている。
フライアイレンズ６は、光源部５方向から見て略矩形形状の輪郭を有する小レンズがマ
トリクス状に配列された構成を有し、２枚で対となっている。対となった各小レンズは、
光源部５から射出された光束を部分光束に分割し、光軸方向に射出する。各小レンズから
射出された複数の光源像は、コンデンサレンズ８を介することにより、それぞれが液晶ラ
イトバルブ２３Ｒ，２３Ｇ，２３Ｂの画像形成領域上で重畳される。これにより、液晶ラ
イトバルブ２３Ｒ，２３Ｇ，２３Ｂの画像形成領域上における輝度分布は、均一化される
。
【００３６】
偏光変換素子７は、ＰＢＳ（Polarization Beam Splitter）アレイと、１／２波長板な
どから構成され、ランダム偏光を特定の直線偏光に変換する。特定の直線偏光は、各液晶
ライトバルブの入射面に設けられた入射偏光板（図示せず）に入射可能な偏光であるため
、偏光変換素子７がない場合、入射偏光板を透過できずに熱として無駄に費やされてしま
っていた光を有効に活用することができる。
光源部５から射出された光は、２枚のフライアイレンズ６、偏光変換素子７、およびコ
ンデンサレンズ８を通過した後、反射ミラー９で反射され、色分離光学系１４側に射出さ
れる。なお、反射ミラー９の後段に、もう１枚コンデンサレンズを設けても良い。
また、均一照明光学系１０は、熱源である光源部５に近いこともあり、一定の熱を発す
るため、光源部５とともに冷却することが望ましい。
【００３７】
色分離光学系１４は、ダイクロイックミラー１２、およびダイクロイックミラー１３を
含んで構成されている。
ダイクロイックミラー１２は、ガラス板等にＲ光を反射し、Ｂ光およびＧ光を透過する
性質のダイクロイック膜を形成した光学素子であり、Ｒ光を反射ミラー１５側に反射し、
Ｂ光およびＧ光を透過する。反射ミラー１５で反射したＲ光は、平行化レンズ２０により
平行化され液晶ライトバルブ２３Ｒに入射する。ダイクロイックミラー１２を透過したＢ
光およびＧ光は、ダイクロイックミラー１３に入射する。
ダイクロイックミラー１３は、Ｇ光を反射しＢ光を透過する性質のダイクロイック膜を
備えた光学素子であり、Ｇ光を液晶ライトバルブ２３Ｇ側に反射しＢ光を透過する。ダイ
クロイックミラー１３で反射したＧ光は、平行化レンズ２０により平行化され液晶ライト
バルブ２３Ｇに入射する。ダイクロイックミラー１３を透過したＢ光は、リレー光学系１
９に入射する。
【００３８】
リレー光学系１９は、２枚のリレーレンズ１７、２枚の反射ミラー１８などから構成さ
れている。
ダイクロイックミラー１３を透過したＢ光は、リレーレンズ１７を介して反射ミラー１
８で反射され、さらにリレーレンズ１７を介して反射ミラー１８で反射された後、平行化
レンズ２０により平行化され液晶ライトバルブ２３Ｂに入射する。２つのリレーレンズ１
７は、分離された３色光の中で最も長い光路を通過するＢ光の減衰を防ぐために設けられ
ている。
【００３９】
光変調部３０は、光変調素子である各色光用の液晶ライトバルブ２３Ｒ，２３Ｇ，２３
Ｂと、色合成光学系であるクロスダイクロイックプリズム２９などから構成されている。
液晶ライトバルブ２３Ｒ，２３Ｇ，２３Ｂは、略立方体形状をなしたクロスダイクロイ
ックプリズム２９の３面に面して設けられている。各液晶ライトバルブにおける光の入射
面には入射偏光板が、クロスダイクロイックプリズム２９に面した光の射出面には出射偏
光板（いずれも図示せず）が、それぞれ設けられている。なお、出射偏光板は、クロスダ
イクロイックプリズム２９の各面にあらかじめ貼り付けられている構成であっても良い。
偏光変換素子７により偏光方向が揃えられているとは言え、光が略垂直に入射される入
射偏光板は、透過できなかった光により発熱する。また、同様に、液晶ライトバルブ２３
Ｒ，２３Ｇ，２３Ｂや、出射偏光板においても熱を発生するため、出射偏光板と密着して
いるクロスダイクロイックプリズム２９を含めた光変調部３０は、発熱部位となる。
液晶ライトバルブ２３Ｒ，２３Ｇ，２３Ｂに入射した各色光は、それぞれの色光ごとの
光学像を内包した各色変調光に変調され、それぞれクロスダイクロイックプリズム２９内
に射出される。
【００４０】
クロスダイクロイックプリズム２９は、４つの直角プリズムが貼り合わされた構造を成
し、内部に、Ｒ光およびＧ光を透過しＢ光を反射する誘電体多層膜であるダイクロイック
膜２７と、Ｇ光およびＢ光を透過しＲ光を反射する誘電体多層膜であるダイクロイック膜
２８とがＸ字状に設けられている。
クロスダイクロイックプリズム２９は、液晶ライトバルブ２３Ｇからの緑色の変調光を
透過し、当該緑色の変調光に液晶ライトバルブ２３Ｒからの赤色の変調光と、液晶ライト
バルブ２３Ｂからの青色の変調光とを反射して重畳し、三原色の変調光を合成したフルカ
ラーの画像を内包した変調光を投射部５０に射出する。
クロスダイクロイックプリズム２９から射出された変調光は、ガウスタイプなどの複数
のレンズを組合せた広角ズームレンズである投射部５０により、スクリーンなどにフルカ
ラーの画像として拡大投射される。
【００４１】
《冷却構成の概要》
ここでは、引き続き図３を用いて、プロジェクタ１００の冷却構成について説明する。
なお、図３における実線の矢印は、冷却風の流路を示している。
冷却ファンＦ１〜Ｆ４は、プロジェクタ１００における主要な発熱部位ごとに設けられ
ている。主要な発熱部位は、光源部５と、光変調部３０と、電源部３７およびランプ駆動
部３８を１セットとした部位とである。
冷却ファンＦ１は、均一照明光学系１０の下面Ｓｄ側（ｚ軸プラス方向）に設けられた
シロッコファンであり、プロジェクタ１００の下面Ｓｄに設けられた吸気口から防塵フィ
ルタ（いずれも図示せず）を介して空気を吸気し、光源部５を中心にフライアイレンズ６
および偏光変換素子７近傍にも冷却風が行き渡るように送風する。なお、リフレクタ３内
部の放電ランプ１に向けて直接風を吹き付ける構成であっても良い。
冷却ファンＦ２，Ｆ３は、送風口を光変調部３０側に向け、投射部５０の側面にそれぞ
れ配置されている。冷却ファンＦ２，Ｆ３は、冷却ファンＦ１と共通の下面Ｓｄの吸気口
から空気を吸気し、光変調部３０全体に冷却風が行き渡るように送風する。
冷却ファンＦ１〜Ｆ３は、プロジェクタ１００の厚さ方向（ｚ軸方向）の空間を有効に
利用して各発熱部位を冷却している。冷却に伴い発生する熱気は、それぞれ排気ファンＦ
５側に導かれ、排気部４０からプロジェクタ１００の外部に排出される。
【００４２】
冷却ファンＦ４は、軸流ファンであり、隣接して設けられた電源部３７およびランプ駆
動部３８をセットとして冷却する。
電源部３７およびランプ駆動部３８は、昇圧チョッパ回路などの高電圧回路を含んだ回
路基板（図示せず）を主体としているため、高電圧による電磁ノイズが外部に漏れないよ
うに、金属材料から構成された箱状のシールド性を確保した筐体を備えている。当該筐体
は、金属網、または、複数のスリットによる網状に設けられており、冷却ファンＦ４によ
る冷却風をスムーズに導入および排出できる構成となっている。冷却ファンＦ４の吸気面
は、プロジェクタ１００の後面Ｓｂに設けられた吸気口（図示せず）に面している。また
、吸気口には吸塵用のフィルタ（図示せず）が設けられている。
冷却ファンＦ４が送風する冷却風は、電源部３７およびランプ駆動部３８の熱を吸収し
、熱気となって排気ファンＦ５側に導かれ、排気部４０からプロジェクタ１００の外部に
排出される。
排気部４０は、プロジェクタ１００の外装ケースに設けられた排気用の開口部１０５に
、管状のジョイント部４２を挿入して、プロジェクタ１００に組み付けられている。
【００４３】
《排気部の態様》
図４は、排気部の組み立て態様を示す斜視図である。図５（ａ）は、正置したプロジェ
クタの正面図である。図５（ｂ）は、正置態様における排気部の断面図、図５（ｃ）は、
正置態様におけるスイッチ周辺の断面図である。図６（ａ）は、天吊りしたプロジェクタ
の正面図である。図６（ｂ）は、天吊り態様における排気部の断面図、図６（ｃ）は、天
吊り態様におけるスイッチ周辺の断面図である。
ここでは、図４、図５（ａ）〜（ｃ）、および図６（ａ）〜（ｃ）を用いて、排気部４
０の概略構成、および設置態様ごとの排気部４０の態様について説明する。
【００４４】
図４において、排気部４０の背面には、管状のジョイント部４２、突起部４３、クリッ
ク凸部４４などが設けられている。
また、プロジェクタ１００における排気部４０との接合面には、円形の開口部１０５、
クリック凹部１０６，１０７などが設けられている。また、クリック凹部１０７の底部に
は、スイッチのボタンＳＷｂが突出している。
変更手段としてのジョイント部４２の直径は、開口部１０５の直径より一回り小さく、
開口部１０５を軸受けとしてガタつきなくスムーズに旋回可能な寸法に設定されている。
ジョイント部４２は、排気部４０の外装部材と一体となっており、当該ジョイント部が開
口部１０５に挿入され組み付けられると、排気部４０全体が当該ジョイント部を軸として
回転可能となる。
【００４５】
具体的には、開口部１０５に挿入されたジョイント部４２は、金属製のＣリングにより
、当該開口部から抜けないように、かつ旋回可能に組み付けられる。なお、組み付け方法
は、ジョイント部４２が開口部１０５から抜けずに、かつ、排気部４０がスムーズに旋回
可能な方法であれば良い。例えば、ジョイント部４２の外周端部に雄ネジ部を設け、開口
部１０５に挿入した後で、当該開口部の内壁側から当該開口部より直径の大きなナットに
より組み付ける構成であっても良い。
また、排気部４０の回転方向における排気口４１を含む外周面の角部は、排気部４０が
回転する際に、プロジェクタ１００の外装ケース面と当たらないように、円弧による大き
目の面取りがなされている。
【００４６】
クリック機構は、プロジェクタ１００における排気部４０との接合面のクリック凹部１
０６，１０７、および排気部４０背面の突起部４３、クリック凸部４４などにより構成さ
れる。
クリック凹部１０６，１０７は、当該接合面に設けられた半円上の凹形状である。凹形
状の半径は２ヶ所とも同一であるが、クリック凹部１０７の底部には接合面を貫通する穴
が設けられている。また、図５（ｃ）に示すように、クリック凹部１０７底部の貫通穴に
は、接合面の内側に取り付けられたスイッチＳＷのボタンＳＷｂが挿入されている。
図４に戻る。これにより、クリック凹部１０７の底部には、スイッチのボタンＳＷｂが
突出した状態で観察される。また、クリック凹部１０６，１０７は、接合面において開口
部１０５の中心から水平方向に伸ばした中心線Ｃｅ上で、かつ、開口部１０５の中心点か
ら等距離の点を中心としてそれぞれ設けられている。つまり、クリック凹部１０６，１０
７は、開口部１０５における１つの同心円Ｃａ上に設けられている。
排気部４０の突起部４３、クリック凸部４４は、それぞれクリック凹部１０６、１０７
に対応する位置関係に設けられている。具体的には、ジョイント部４２を開口部１０５に
組み付けた状態において、突起部４３の位置をクリック凹部１０６に合わせると、クリッ
ク凸部４４は、クリック凹部１０７と勘合することになる。また、突起部４３、およびク
リック凸部４４の大きさは、それぞれクリック凹部１０６、１０７のいずれにも収まる大
きさに設定されている。
【００４７】
この状態において、排気口４１は、図５（ａ）のようにプロジェクタ１００の上面Ｓｕ
側を向く。つまり、排気部４０を正置モードに設定した状態となる。
また、この状態から、排気部４０を１８０°旋回させると、突起部４３がクリック凹部
１０７に、クリック凸部４４がクリック凹部１０６に、それぞれ勘合する。このとき、「
カチッ」というクリック感を伴い、排気部４０が止まる。旋回後は、図６（ａ）に示すよ
うに排気口４１がプロジェクタ１００の下面Ｓｄ側を向いた状態、つまり、排気部４０を
天吊りモードに設定した状態となる。
このように、排気部４０を旋回させると、前述したクリック機構により、排気口４１が
上面Ｓｕ側、または下面Ｓｄ側に配された状態において、排気部４０はクリック感を伴っ
て止まる。しかし、クリック凹部１０６、１０７から勘合している突起部を外すための所
定の旋回力を加えることにより、無制限に排気部４０を回転させることができる。所定の
旋回力は、人手により少し力を加えれば回り始める程度の力、例えば、０．２Ｎｍ程度に
設定されている。
【００４８】
図５（ｂ）は、図５（ａ）における「ｂ−ｂ」断面を示している。排気部４０に内蔵さ
れている排気ファンＦ５は、排気口４１に面して配置されている。
正置されているプロジェクタ１００内部の熱気は、強制排気しなくても自然対流により
、ジョイント部４２から天井側に設けられた排気口４１に向かって上昇して行く。さらに
、熱気が上昇して行く途上に設けられた排気ファンＦ５により、排気速度が加速される。
図５（ｃ）は、この状態におけるクリック凹部１０７の断面形状（図５（ａ）の「ｃ−
ｃ」断面）を示している。クリック凸部４４は、クリック凹部１０７に勘合している。
クリック凸部４４は、先端にクリック凹部１０７の半径よりも一回り小さい部分円周面
を備えた、排気部４０の外装部材の突起部位である。突起部位の高さは、スイッチＳＷの
ボタンＳＷｂには到達しない高さに設定されている。このため、スイッチＳＷはオフ状態
のままであり、切替信号レベルは変化しないため、プロジェクタ１００は、正置状態で正
方向となる初期設定の画像を投射する。
【００４９】
図６（ａ）において、プロジェクタ１００は、天吊り用の設置器具１２０により下面Ｓ
ｄを天井側に向けて天吊り設置されている。また、排気部４０は、天吊りモードに設定さ
れている。
図６（ｂ）は、図６（ａ）における「ｊ−ｊ」断面を示している。排気ファンＦ５は、
排気口４１に面して配置されているため、天井側を向いている。
天吊りされているプロジェクタ１００内部の熱気は、強制排気しなくても自然対流によ
り、ジョイント部４２から天井側に設けられた排気口４１に向かって上昇して行く。さら
に、熱気が上昇してゆく途上に設けられた排気ファンＦ５により、排気速度が加速される
。
図６（ｃ）は、この状態におけるクリック凹部１０７の断面形状（図６（ａ）の「ｋ−
ｋ」断面）を示している。突起部４３は、クリック凹部１０７に勘合している。
突起部４３は、クリック凸部４４形状と同一形状を土台として、先端部にボール状の突
起４３ｂをさらに備えた、排気部４０の外装部材の突起部位である。突起４３ｂの高さは
、スイッチＳＷのボタンＳＷｂをオンするのに必要な高さに設定されている。
これにより、スイッチＳＷがオンし切替信号レベルが「Ｈｉ」になるため、プロジェク
タ１００は、正置状態における画像を１８０°反転した反転画像を投射する。
【００５０】
なお、突起４３ｂとして、例えば、ステンレスなどの金属性のボールを用いる構成であ
っても良い。この場合、突起部４３の中に金属ボールを押し上げるコイルばねと、金属ボ
ールが飛び出さないための押さえ機構を設ける。
この構成によれば、コイルばねの押し上げ荷重を最適化することにより、スイッチＳＷ
のボタンＳＷｂをオン可能で、かつ、排気部４０を回転させるときの旋回トルクを小さく
することができる。
【００５１】
上述した通り、本実施形態によれば以下の効果が得られる。
（１）プロジェクタ１００の排気部４０は、複数の設置態様において、変更手段である
ジョイント部４２を回転軸として旋回することにより、排気口４１の向きを天井側に向け
ることができる。
よって、どの設置態様が選択されても、排気部４０を当該設置モードに合わせることに
より、排気口４１の向きを天井側に向けることができるため、プロジェクタ１００内部の
熱気を、天井側を向いた排気口４１から効率良く排気することができる。
プロジェクタ１００は、さらに、排気部４０の旋回に伴い設置モードを示す切替信号を
出力するスイッチ手段としてのスイッチＳＷと、切替信号レベルに応じて走査駆動の順序
を反転させるための反転信号を送信する画像切替手段としての制御部５１、および反転信
号を受信すると走査駆動の順序を反転させる液晶パネル駆動部５３を備えている。
よって、プロジェクタ１００は、変更手段と連動したスイッチ手段の切替信号をトリガ
として、画像切替手段が自動的に投射画像の向きを変更する。
よって、投射画像の向きを簡便に設置態様に合わせることができる。
従って、設置態様に合わせて排気方向を変更できるとともに、投射画像の向きを簡便に
設置態様に合わせることができるプロジェクタ１００を提供することができる。
【００５２】
（２）排気部４０は、管状のジョイント部４２を軸として回転するとともに、プロジェ
クタ１００の上面Ｓｕに対応する面に排気口４１を備えている。
よって、排気部４０の回転によって、排気口４１をプロジェクタ１００の上面Ｓｕ側ま
たは下面Ｓｄ側に配することが可能なことから、正置および天吊りのいずれの設置態様で
あっても、天井側の面に排気口４１を配することができる。
従って、設置態様に合わせて排気方向を変更できるプロジェクタ１００を提供すること
ができる。
【００５３】
（３）排気ファンＦ５は、排気口４１に面して配されることから、自然対流によって天
井側に面した排気口４１側に上昇してくる熱気を、効率良く排気することができる。
よって、冷却効率が良いことから、プロジェクタ１００の動作が安定する。また、排気
ファンＦ５には、自然対流による排気を加速させる送風性能があれば良いことから、安価
な小型のファンを用いることができる。
従って、動作の安定したプロジェクタ１００を提供することができる。
【００５４】
（４）排気部４０は、排気口４１が上面Ｓｕ側、または下面Ｓｄ側に配された状態にお
いて、プロジェクタ１００の上面Ｓｕ、下面Ｓｄ、前面Ｓｆ、後面Ｓｂ、および側面Ｓｒ
，Ｓｌから構成される６面体の外装ケース面内に略収まる。
よって、排気部４０を外装ケース面内に収めることができることから、まとまり感を高
めた精錬されたデザインを実現することができる。
また、正置、および天吊り設置態様において、排気部４０はプロジェクタ１００の外装
ケース面内に略収まるため、持ち運びや、設置する際に、排気部４０が邪魔にならない。
従って、精錬された完成度の高いデザインのプロジェクタ１００を提供することができ
る。
【００５５】
（５）制御部５１は、スイッチＳＷからの切替信号レベルが「Ｈｉ」となると、液晶パ
ネル駆動部５３に、走査駆動の順序を反転させるための反転信号を送信する。液晶パネル
駆動部５３は、制御部５１から反転信号を受信すると、走査駆動の順序を反転させる。
よって、排気口４１が下面Ｓｄ側に配され、排気部４０が天吊りモードに設定されると
、反転信号を受信した液晶パネル駆動部５３により画像が反転される。
従って、投射画像の向きを簡便に設置態様に合わせることができるプロジェクタ１００
を提供することができる。
【００５６】
（６）プロジェクタ１００は、排気部４０との接合面のクリック凹部１０６，１０７、
および排気部４０背面の突起部４３、クリック凸部４４などにより構成されるクリック機
構を備えている。
クリック機構は、排気口４１が上面Ｓｕ側、または下面Ｓｄ側に配された状態において
、クリック感を伴って止まるための機構であることから、排気部４０を回して正置、また
は天吊りモードに設定するときに、容易に位置合わせすることができる。
さらに、排気部４０、およびプロジェクタ１００における上面Ｓｕの排気部４０近傍の
外装面には、少なくとも正置、および天吊りを含む設定状態を示す表示がなされている。
よって、初心者であっても、設定状態を示す表示により、排気部４０を容易に正置、ま
たは天吊りモードの設定位置に合わせることができる。
従って、設置態様に合わせて排気方向を簡便に変更できるプロジェクタ１００を提供す
ることができる。
【００５７】
なお、本発明は上述した実施形態に限定されるものではない。すなわち、上述した形状
、材質などを限定した記載は、本発明の理解を容易にするために例示的に記載したもので
あり、本発明を限定するものではないことから、それらの形状、材質などの限定の一部若
しくは全部の限定を外した部材の名称での記載は、本発明に含まれるものである。
【００５８】
（変形例１）
図１および図４を用いて説明する。
前記実施形態において、複数の設置態様は、正置と天吊りの２つの設置態様であるもの
として説明したがこれに限定するものではない。例えば、プロジェクタ１００の設置態様
として、正置および天吊りに加えて、側面Ｓｒを地面側に向けた設置態様、および側面Ｓ
ｌを地面側に向けた設置態様にも対応している場合であっても、本発明を適用することが
できる。
この構成の場合、クリック凹部１０６，１０７に加えて、同心円Ｃａ上に２つのクリッ
ク凹部を追加する。追加される２つのクリック凹部の中心は、同心円Ｃａの中心点からの
垂線上とする。また、追加される２つのクリック凹部には、クリック凹部１０７と同様に
中心部にスイッチが内蔵される。内蔵される２つのスイッチは、制御部５１のそれぞれ異
なる入力ポートに接続され、対応するクリック凹部に排気部４０の突起部４３が配置され
ると、スイッチがオンし入力ポートへの切替信号レベルを変化させる。
これにより、排気部４０は、９０°旋回するごとに、４つの設置モードのうちいずれか
の設置モードに対応してクリック感を持って止まり、各設置モードの設定が容易となる。
また、画像切替手段は、制御部５１、液晶パネル駆動部５３に加えて、画像信号処理部
５２を含めて構成され、４つの設置モードごとに対応した切替信号レベルに応じて、設定
された設置モードに対応する方向の画像を生成する。
この構成によれば、４つの設置態様に合わせて排気方向を変更できるとともに、投射画
像の向きを簡便に設置態様に合わせることができるプロジェクタ１００を提供することが
できる。
【００５９】
（変形例２）
図２を用いて説明する。前記実施形態において、プロジェクタ１００は、光変調素子と
して３枚の透過型の液晶ライトバルブ２３Ｒ，２３Ｇ，２３Ｂを用いた液晶３板式の投射
型プロジェクタとして説明したが、これに限定するものではない。光変調素子の種別は問
わず、複数の設置態様に対応した投射型のプロジェクタであれば良い。
例えば、赤、緑、青色のカラーフィルタが規則的に格子状に配置され、１枚でフルカラ
ーの変調光を射出することが可能な単板の液晶ライトバルブを光変調素子として備えたプ
ロジェクタであっても良い。または２つ、あるいは４つ以上の液晶ライトバルブを用いた
プロジェクタとしても良い。また、反射型液晶表示装置や、ティルトミラーデバイスを光
変調素子として備えたプロジェクタであっても良い。
これらの構成であっても、前記実施形態および変形例と同様な作用効果を得ることがで
きる。
【図面の簡単な説明】
【００６０】
【図１】（ａ）一実施形態におけるプロジェクタの斜視図、（ｂ）天吊りにおける排気部周辺の斜視図。
【図２】プロジェクタの概略構成図。
【図３】光学系および冷却系を主体とした概略平面図。
【図４】排気部の組み立て態様を示す斜視図。
【図５】（ａ）正置したプロジェクタの正面図、（ｂ）正置態様における排気部の断面図、（ｃ）正置態様におけるスイッチ周辺の断面図。
【図６】（ａ）天吊りしたプロジェクタの正面図、（ｂ）天吊り態様における排気部の断面図、（ｃ）天吊り態様におけるスイッチ周辺の断面図。
【図７】従来のプロジェクタの天吊りにおける側断面図。
【図８】従来の異なる態様のプロジェクタの概要図。
【図９】従来のプロジェクタを天吊りしたときの設置モード設定画面を示す図。
【符号の説明】
【００６１】
５…光源としての光源部、２３Ｒ，２３Ｇ，２３Ｂ…光変調素子としての透過式液晶パ
ネルである液晶ライトバルブ、４０…排気部、４１…排気口、４２…変更手段としてのジ
ョイント部、４３…突起部、４３ｂ…突起、４４…クリック機構のクリック凸部、５０…
投射部、５１…画像切替手段としての制御部、５３…画像切替手段としての液晶パネル駆
動部、１００…プロジェクタ（外装筐体）、１０６，１０７…クリック機構のクリック凹
部、Ｆ５…排気ファン、ＳＷ…スイッチ手段としてのスイッチ、Ｓｕ…上面、Ｓｄ…下面
、Ｓｆ…前面、Ｓｂ…後面、Ｓｒ，Ｓｌ…側面。
【図１】
2007264247.tif 000003
【図２】
2007264247.tif 000004
【図３】
2007264247.tif 000005
【図４】
2007264247.tif 000006
【図５】
2007264247.tif 000007
【図６】
2007264247.tif 000008
【図７】
2007264247.tif 000009
【図８】
2007264247.tif 000010
【図９】
2007264247.tif 000011